(57)【要約】【課題】ピースの載置による絵柄の形成態様をより複雑にして、パズルを完成させる過程を楽しめるだけでなく、鑑賞性にも優れたパズルを提供する。【解決手段】ベース３０は、着色領域３２からなるベース絵柄３６を備え、ピース４０は、透明領域４１、着色透過領域４２、着色非透過領域４３のうちの少なくともいずれかの領域を備え、各ピース片が適正位置に配置されることにより所定の上層絵柄４６を形成し、ピース４０の全てが、ベース３０の上面に適正に載置されることにより、ベース絵柄３６と上層絵柄４６とが合成された全体絵柄６０が表示される。【選択図】図２
2013005902.tif 000002
【特許請求の範囲】
【請求項１】
ベースの上面に複数のピース片を載置して全体絵柄を完成させるパズルであって、
前記ベースは、着色領域からなるベース絵柄を備え、
前記各ピース片は、透明領域、透光性を有する着色透過領域、透光性を有しない着色非透過領域のうちの少なくともいずれかの領域を備え、各ピース片が適正位置に配置されることにより所定の上層絵柄を形成し、
前記ピース片の全てが、前記ベースの上面に適正に載置されることにより、前記ベース絵柄と前記上層絵柄との合成による全体絵柄が表示されることを特徴とするパズル。
【請求項２】
ベースの上面に複数のピース片を載置して全体絵柄を完成させるパズルであって、
前記ベースを面発光させる発光装置を備え、
前記ベースは、透光部材で形成されているとともに、着色領域からなるベース絵柄を備え、
前記各ピース片は、透明領域、透光性を有する着色透過領域のうちの少なくともいずれかの領域を備え、各ピース片が適正位置に配置されることにより所定の上層絵柄を形成し、
前記ピース片の全てが、前記ベースの上面に適正に載置されることにより、前記ベース絵柄と前記上層絵柄との合成による全体絵柄が表示され、
前記発光装置が所定の発光色で点灯されることにより、前記ベース絵柄と前記上層絵柄の重複部分の色が変化して、発光装置を点灯しない場合とは異なる全体絵柄が表示されることを特徴とするパズル。
【発明の詳細な説明】
【技術分野】
【０００１】
本発明は、複数のピース片をベースとなる部材の所定の位置に載置することにより全体で一つの絵柄を完成させるパズルに関する。
【背景技術】
【０００２】
絵柄や着色が施された複数のピース片を適正位置に並べて所定の絵柄を完成させるパズルとしては、様々なものが考案されている。例えば、特許文献１には、透明素材により形成された複数層のピースを設け、下層ピースの絵柄の上に上層ピースの絵柄を重ねることにより、双方の重複した透明部分から透けて見える下地により絵柄が形成されるパズルが開示されている。また、特許文献２には、光透過性を有するピースに光透過性の画像を印刷し、複数層のピースを重ねた状態で下方から光をあてることにより、各ピース層に形成された絵柄の重複部分がフルカラーで表示されるジグソーパズルが開示されている。
【先行技術文献】
【特許文献】
【０００３】
【特許文献１】特開２０１１−４１５８９号公報
【特許文献２】特開２００１−２５２４６１号公報
【発明の概要】
【発明が解決しようとする課題】
【０００４】
上記した従来技術をふまえ、本願発明は、ピースの載置による絵柄の形成態様をより複雑にして、パズルを完成させる過程を楽しめるだけでなく、鑑賞性にも優れたパズルを提供することを目的とする。
【課題を解決するための手段】
【０００５】
上記課題を解決するため、請求項に記載の発明は以下のような構成を有する。
なお、括弧内の符号は、発明の実施の形態において用いた符号を示し、本発明の技術的範囲を限定するものではない。
（請求項１）
請求項１記載の発明は、ベース(30)の上面に複数のピース片を載置して全体絵柄(60)を完成させるパズルであって、前記ベース(30)は、着色領域(32)からなるベース絵柄(36)を備え、前記各ピース片は、透明領域(41)、透光性を有する着色透過領域(42)、透光性を有しない着色非透過領域(43)のうちの少なくともいずれかの領域を備え、各ピース片が適正位置に配置されることにより所定の上層絵柄(46)を形成する。そして、前記ピース片の全てが、前記ベース(30)の上面に適正に載置されることにより、前記ベース絵柄(36)と前記上層絵柄(46)との合成による全体絵柄(60)が表示されることを特徴とする。
【０００６】
前記ベース(30)は、紙やプラスチック等の所定の地色を有する不透明部材又は透光性を有する部材で形成されており、着色領域(32)はベースの地色と異なる着色部分を意味するものである。ベース(30)としては、透明領域(33)や透光性を有する着色透過領域(34)や透光性を有しない着色非透過領域(35)を有していてもよい。すなわち、「着色領域」には透明以外の透過領域、非透過領域が含まれる。
前記ピース(40)は、透光性を有する部材で形成することができ、複数のピース片には、透明領域(41)のみを備えているもの、着色透過領域(42)のみを備えているもの、着色非透過領域(43)のみを備えているもの、それらのいずれかの組合せを備えているものが含まれる。
【０００７】
ここで、「色」には白と黒も含まれる。また、「領域」には「線」も含まれる。すなわち、「絵柄」には、輪郭線のない着色部分のみの絵柄と、輪郭線により囲まれた絵柄と、線のみにより描かれた絵柄が含まれる（以下請求項２において同じ）。
またここで、「合成による全体絵柄(60)」とは、具体的には、ピース(40)の透明領域(41)から透過するベース(30)のベース絵柄(36)と、ピース(40)の着色透過領域(42)とベース絵柄(36)の一部とが重複して形成される絵柄(色合成絵柄61)と、ピース(40)の着色非透過領域(43)がベース絵柄(36)の一部を遮蔽して形成される絵柄(遮蔽絵柄62)と、ピース(40)の着色透過領域(42)又は着色非透過領域(43)がベース絵柄(36)の一部と合致して形成される絵柄(合体絵柄63)とを含む絵柄である。
【０００８】
本発明によれば、ピース(40)により絵柄を完成させるための条件が、ベース(30)のベース絵柄(36)を透過させ、重複させ、遮蔽し、合体させ、と多岐にわたるので、パズルの難易度を上げることができる。また、ピース(40)の着色透過領域(42)とベース絵柄(36)との重複部分が色合成されて様々な色彩を表示できる。
（請求項２）
請求項２記載の発明は、ベース(30)の上面に複数のピース片を載置して全体絵柄(60)を完成させるパズル(P)であって、前記ベース(30)を面発光させる発光装置(バックライトユニット2)を備えている。また、前記ベース(30)は、透光部材で形成されているとともに、着色領域(32)からなるベース絵柄(36)を備え、前記各ピース片は、透明領域、透光性を有する着色透過領域のうちの少なくともいずれかの領域を備え、各ピース片が適正位置に配置されることにより所定の上層絵柄を形成する。そして、前記ピース片の全てが、前記ベース(30)の上面に適正に載置されることにより、前記ベース絵柄(36)と前記上層絵柄(46)との合成による全体絵柄(60)が表示され、前記発光装置(2)が所定の発光色で点灯されることにより、前記ベース絵柄(36)と前記上層絵柄(46)の重複部分の色が変化して、発光装置(2)を点灯しない場合とは異なる全体絵柄(60)が表示されることを特徴とする。
【０００９】
前記発光装置(2)は、ベース(30)の面全体を裏面側から照射可能な装置であって、ベース(30)を収納する収納箱(10)に蛍光ランプやＬＥＤなどの発光体(11)や光を拡散させるための導光板を設けたバックライト装置とすることができる。
前記ベース(30)は、透光性を有する部材で形成されており、着色領域(32)はベースの地色と異なる着色部分を意味するものである。ベース(30)としては、透明領域(33)や透光性を有する着色透過領域(34)や透光性を有しない着色非透過領域(35)を有していてもよい。すなわち、「着色領域」には透明以外の透過領域、非透過領域が含まれる。
前記ピース(40)は、透光性を有する部材で形成することができ、複数のピース片には、透明領域(41)、着色透過領域(42)の他に、透光性を有しない着色非透過領域(43)を有しするものが含まれていてもよい。
【００１０】
ここで、「合成による全体絵柄(60)」とは、具体的には、ピース(40)の透明領域(41)から透過するベース(30)のベース絵柄(36)と、ピース(40)の着色透過領域(42)とベース絵柄(36)の一部とが重複して形成される絵柄とを含む絵柄である。
またここで、「発光装置(2)が所定の発光色で点灯されることにより、・・・発光装置(2)を点灯しない場合とは異なる全体絵柄(60)が表示される」とは、発光装置(2)を点灯させない場合と点灯させた場合とで、表面側に表示される絵柄の形状や色彩が異なることと、発光装置(2)を特定色で点灯させた場合と、特定色以外の色で点灯させた場合とで表面側に表示される絵柄の形状や色彩が異なることの双方を含む。具体例としては、ベース(30)の着色非透過領域(35)とピース(40)の着色透過領域(42)が同じ色彩である場合に、発光装置(2)を点灯させない場合にはベース(30)の着色非透過領域(35)とピース(40)の着色透過領域(42)の見分けが付かず、発光装置(2)を点灯させた場合にはベース(30)の着色非透過領域(35)が後背からの照射光を遮って所定の絵柄が暗色で表示されるようにすることができる。あるいは、ベース絵柄(36)に、特定色のみ透過する特定色透過部、又は特定色のみ透過しない特定色非透過部を設け、発光装置(2)を特定色で点灯させたときと、発光装置(2)を特定色以外の色で点灯させたときとで、ベース絵柄(36)とピース(40)の着色透過領域(42)の重複部分の色が変化して、所定の絵柄が表示されたり表示されなかったりするように形成することができる。
【００１１】
本発明によれば、完成したパズル(P)の装飾品としての価値をより高めることができる。
【発明の効果】
【００１２】
本発明は、以上のように構成されているので、ピースの載置による絵柄の形成態様がより複雑となり、パズルを完成させる過程を楽しめるだけでなく、鑑賞性にも優れたパズルを提供することができる。
【図面の簡単な説明】
【００１３】
【図１】本発明の第一の実施の形態であって、パズルの分解斜視図である。
【図２】ベース及びピースを示す平面図である。
【図３】完成したパズルの平面図である。
【図４】図柄の合成、重複、合体を示す説明図である。
【図５】本発明の第二の実施の形態であって、パズルの分解斜視図である。
【図６】第二の実施の形態に係るベース及びピース及び完成したパズルを示す平面図である。
【発明を実施するための形態】
【００１４】
本発明の好適な実施の形態を、第一及び第二の実施の形態に分けて、図面に基づき説明する。
（第一の実施の形態）
第一の実施の実施の形態に係るパズルＰは、図１に示すように、ベース30及びピース40からなるパズル部材１を備えている。
ベース30は、プラスチック板やボール紙などの有色素材（例えば白白）により形成された方形薄板部材であり、図２（Ａ）に示すように、背景色を構成する非着色領域31と、非着色領域31にシールを貼付し又は印刷によりあるいは異なる色の着色部材を嵌め込んで形成した着色領域32とを備えている。そして、これらの領域によって、所定のベース絵柄36が形成されている。
【００１５】
ピース40は、ベース30の大きさを４分割した方形薄板状の４つのピース片40A〜40Dから構成されている。各ピース片40A〜40Dは、アクリル板などの透明素材により形成されており、図２（Ｂ）に示すように、無色透明な透明領域41と、透明部分に透過性のシールを貼付し又は透過性のインクで印刷しあるいは透明部分に透過性の着色部材を嵌め込んで形成した着色透過領域42と、透明部分に非透過性のシールを貼付し又は非透過性のインクで印刷しあるいは透明部分に非透過性の着色部材を嵌め込んで形成した着色非透過領域43とを備えている。そして、各ピース片40A〜40Dを適正に配置すると、前記した各領域によって、所定の上層絵柄46が形成される。そして、各ピース片40A〜40Dによって表示される上層絵柄46は、各ピース片40A〜40Dの全てをベース30の適正位置に載置すると、ベース30に表示されているベース絵柄36と合成されて、図３に示すような全体絵柄60が完成するようになっている。ここで、合成には、色合成、重複、合体が含まれる。すなわち、全体絵柄60は、ベース絵柄36と上層絵柄46とにより形成される色合成絵柄61、遮蔽絵柄62、合体絵柄63とから構成されている。
【００１６】
具体的には、図４（Ａ）に示すように、ベース30に表示されている着色領域32（例えば赤色）からなる花びらの絵柄（花びらの中心部分は黄色の着色領域32）と、ピース40（図示した例ではピース40B）の着色透過領域42（例えば黄色）からなるリング状の絵柄（リングの中央は透明領域41）が重複することにより、花びらの中心部分が色合成され、花びらの中心部分の色が異なる花（中心が黄色、その周囲がオレンジ色でその他が赤色）を表す色合成絵柄61が形成される。また、図４（Ｂ）に示すように、ベース30に表示されている着色領域32からなる花束の包みの絵柄と、ピース40（図示した例ではピース40D）の着色非透過領域43からなるリボンの絵柄が重複することにより、包みの絵柄の一部が遮蔽されリボンの絵柄が重なって、花束の包みにリボンを掛けたものを表す遮蔽絵柄62が形成される。また、図４（Ｃ）に示すように、ベース30に表示されている着色領域32からなる葉っぱ半分の絵柄と、ピース40（図示した例ではピース40B）の着色透過領域42又は着色非透過領域43からなる葉っぱ半分の絵柄が合致することにより、葉っぱ一枚を表す合体絵柄63が形成される。
【００１７】
なお、特に図示しないが、全体絵柄60の中には、ベース絵柄36が単独で（上層絵柄46に関与せず）、ピース40の透明領域41を透過して表示されるものが含まれていてもよい。
このパズルＰを完成させるためには、ベース30のベース絵柄36とピース40の上層絵柄46により形成される絵柄を予測しながら、各ピース片40A〜40Dの配置を考えることとなる。図示した例では、ピース40のピース数は４枚としてあったが、もちろん、ピースの数は４枚に限られるものではなく、ピース数が多いほど難易度が高くなる。また、各ピースの形状も、四角形のものに限られず、他の多角形や曲線を含む形状としてもよく、ジグソーパズルのような凹凸を有する形状であってもよい。
【００１８】
本実施の形態によれば、上層絵柄46の描かれたピース40を所定の位置に配置して絵柄を完成させるだけでなく、ベース30のベース絵柄36との関係も考慮しながら、ピース40の配置を決めるという、新たな遊技性を作り出すことができる。また、ベース絵柄36及び上層絵柄46の重複により全体絵柄60が形成されるので、完成した絵柄が立体的に見え、鑑賞用としても優れている。
なお、本実施の形態では、ベース絵柄36及び上層絵柄46は全て輪郭線を有しており、その内部に着色領域（透過・非透過含む）を備えるものとなっていたが、ベース絵柄36及び上層絵柄46には、輪郭線を有しないものも含まれる。すなわち、着色領域のみで形成された絵柄であってもよいものである（図６参照）。この場合、各ピース片40A〜40Dには、着色領域のみ、又は透過領域のみから構成されているものが含まれていてもよい。また、ベース絵柄36及び上層絵柄46には、輪郭線のみで形成された絵柄が含まれていてもよい。さらに、ベース30とピース40の着色透過領域のみで形成された絵柄が重ね合わせられることにより、重複部分に所定の絵柄が形成されるようにしてもよい。
【００１９】
（第二の実施の形態）
第二の実施の形態に係るパズルＰは、図５に示すように、ベース30及びピース40からなるパズル部材１と、収納箱10及び導光板20からなるバックライトユニット２を備えている。
バックライトユニット２は、パズル部材１を下方から照明するための照明装置である。収納箱10の内壁には、複数の発光体11、例えばＬＥＤが設けられており、収納箱10に導光板20を収納して発光体11を点灯させると、導光板20の側面から照射される光が導光板20の内部で屈折し、導光板20の全体が面発光するようになっている。また、収納箱10には、ピース40を載置したベース30を、導光板20の上側に収納可能となっており、パズル作成時の枠体として使用できるとともに、完成したパズル部材１を飾るための額縁としても機能する。
【００２０】
なお、発光体11はＬＥＤに限られず、蛍光ランプでもよい。また発光体11の配置は、導光板20を面発光させられるものであれば、どのような態様であっても構わない。
本実施の形態におけるベース30は、アクリル板などの透明素材により形成された方形薄板部材であり、図６（Ａ）に示すように、無色透明な透明領域33と、透明部分に透過性のシールを貼付又は透過性のインクで印刷しあるいは透明部分に透過性の着色部材を嵌め込んで形成した着色透過領域34と、透明部分に非透過性のシールを貼付又は非透過性のインクで印刷しあるいは透明部分に非透過性の着色部材を嵌め込んで形成した着色非透過領域35とを備えている。そして、これらの領域によって、所定のベース絵柄36が形成されている。
【００２１】
ピース40は、図６（Ｂ）に示すように、ベース30の大きさを１２分割した方形薄板状の１２個のピース片40a〜40lから構成されている。各ピース片40a〜40lは、アクリル板などの透明素材により形成されており、透明領域41と、着色透過領域42と、着色非透過領域43の少なくともいずれかを備えている。そして、各ピース片40a〜40lを適正に配置すると、これらの領域によって、所定の上層絵柄46が形成される。
ここで、ベース30の着色非透過領域35の色彩は、ピース40の着色透過領域42と同じに設定されている。また、ピース40の着色非透過領域43の色彩は、ベース30の着色透過領域34と同じに設定されている。そして、全体絵柄60の完成時に、ベース30の着色非透過領域35はピース40の着色透過領域42と重複し、ピース40の着色非透過領域43はベース30の着色透過領域34と重複する位置となるように形成されている。また、ベース30及びピース40の着色非透過領域35,43は、輪郭線の無い着色領域となっている。
【００２２】
このように形成されたパズルＰにおいて、収納箱10にベース30を収納し、ベース30の上面にピース40の全てを適正に載置すると、図６（Ｃ）に示すように、ベース30の着色透過領域34とピース40の着色透過領域42との重複部分に、色合成絵柄61が表示される。ただし、ベース30の着色非透過領域35とピース40の着色透過領域42の重複部分、及びピース40の着色非透過領域43とベース30の着色透過領域34の重複部分は、同じ色彩であり、かつ輪郭線が無いために見分けが付かず、重複部分に絵柄を視認することはできない。従って、この状態では、全体絵柄60は未完成である。
一方、パズル部材１を収納箱10に収めた状態でバックライトユニット２の発光体11を点灯させると、全体絵柄60がより鮮やかに表示される。それに加え、ベース30及びピース40の着色非透過領域35,43は照射光を透過しないためにその部分だけが暗色となり、図６（Ｄ）に示すように、発光体11を点灯させない場合には視認不能であった絵柄が表示されるものとなる。すなわち、発光体11を点灯させることにより、着色非透過領域35,43が照射光を遮蔽し、着色透過領域34,43との重複部分に遮光絵柄64を形成する。これで、全体絵柄60が完成することとなる。
【００２３】
このように、本実施の形態によれば、第一の実施の形態の効果に加え、ベース30の下方から光を照射することにより、色合成をより効果的に表現することができる。また、着色非透過領域35,43と着色透過領域34,43の組合せを上記のように形成することにより、バックライトの点灯時と消灯時とで、異なる全体絵柄60を表示させることができる。また、特定の色の光を照射することにより、色合成絵柄61の色彩も変化し、光を照射しない場合又は特定の色の光を照射しない場合とは異なる色彩の全体絵柄60が表示されるものとなる。
なお、バックライトユニット２に導光板20を設けず、ベース30を導光部材で形成して導光板として機能するようにしてもよい。また、ベース30及びピース40には、第一の実施の形態と同様に、輪郭線で囲まれた領域を設けてもよく、ピース40を適正位置に載置したときに遮蔽絵柄62や合体絵柄63（図４参照）が形成されるようになっていてもよい。
【００２４】
さらに、バックライトの点灯時と消灯時とで表示される絵柄を異ならせる方法としては、上記以外にも、ベース30やピース40に、特定色のみ透過する特定色透過領域や、特定色のみ透過しない特定色非透過領域を設け、発光体11としてＲＧＢＬＥＤライトを用い、完成したパズルＰの後背から照射する発光色を変化させることにより、ベース絵柄36又は上層絵柄46の一部が視認不能となって、あるいは視認可能となって、さらにその際に表示される色彩が異なる全体絵柄60が表示されるようにすることも可能である。このように形成した場合には、バックライトユニット２を点灯させる状況を考慮しながらピースの置き場所を見つける必要があり、パズルとしての難易度を高くすることができるとともに、完成したパズルの鑑賞性をより高めることができる。
【符号の説明】
【００２５】
Ｐ  パズル
１  パズル部材                    ２  バックライトユニット
10  収納箱                        11  発光体
20  導光板                        30  ベース
31  非着色領域                    32  着色領域
33  透明領域                      34  着色透過領域
35  着色非透過領域
36  ベース絵柄
40  ピース
41  透明領域                      42  着色透過領域
43  着色非透過領域                46  上層絵柄
60  全体絵柄                      61  色合成絵柄
63  遮蔽絵柄                      63  合体絵柄
64  遮光絵柄
【図１】
2013005902.tif 000003
【図２】
2013005902.tif 000004
【図３】
2013005902.tif 000005
【図４】
2013005902.tif 000006
【図５】
2013005902.tif 000007
【図６】
2013005902.tif 000008